(57)【要約】【課題】天井スラブから懸吊した垂下支持体によって横揺れを防いでしっかり懸架することのできる建築物における懸架式床支持構造を提供する。【解決手段】水平方向に延びて建築物を複数の階層に区画する水平駆体部分と鉛直方向に延びて上下の該水平駆体部分を相互に連結する鉛直駆体部分とを備えてなるコンクリート建築物において、上記水平駆体部分は上階と下階の居住空間を仕切るとともに、各居住空間Ａにおいては床スラブ１と天井スラブ２とを構成し、該居住空間Ａの床面を構成する床構造体６が該床スラブ１との接触を回避して、天井スラブ２から垂下する複数の垂下支持体５によって浮動状に支持される懸架式床支持構造。【選択図】図５
2009174242.tif 000002
【特許請求の範囲】
【請求項１】
水平方向に延びて建築物を複数の階層に区画する水平駆体部分と鉛直方向に延びて上下の該水平駆体部分を相互に連結する鉛直駆体部分とを備えてなるコンクリート建築物において、上記水平駆体部分は上階と下階の居住空間を仕切るとともに、各居住空間においては床スラブと天井スラブとを構成し、該居住空間の床面を構成する床構造体が該床スラブとの接触を回避して、天井スラブから垂下する複数の垂下支持体によって浮動状に支持される懸架式床支持構造。
【請求項２】
上記天井スラブに断面Ｈ型の鋼材を梁材として固定し、該梁材に係合部を介して垂下支持体としての帯状鋼材の上端部を固定、垂下するとともに、該帯状鋼材の下端部には上記床構造体を懸架する懸架部が付設された請求項１に記載の懸架式床支持構造。
【請求項３】
上記帯状鋼材と左右の隣家と該居住空間とを区切る隔壁スラブとの間に緩衝材が介装された請求項２に記載の懸架式床支持構造。
【請求項４】
上記垂下支持体を間仕切り壁の中空部に垂設してなる請求項１に記載の懸架式床支持構造。
【発明の詳細な説明】
【技術分野】
【０００１】
本願発明は、建築物における床支持構造に関するものであり、特にコンクリート躯体構造をもつ建築物において、建築物を各階層に仕切るコンクリートスラブの天井スラブから垂下する垂下支持体によって、床スラブと接触せずに浮動状に支持される懸架式床支持構造に関するものである。
【背景技術】
【０００２】
一般に、マンション等、高層の集合住宅では、躯体と床構造体とが一体的に固定結合されている。そのため、上階の住民の生活音、例えば、椅子を移動させる際の擦過音、こどもが飛び跳ねる時の衝撃音等が階下の住人に固体伝播音となって床構造体から上下階、左右隣室へと振動騒音となって伝わり、住環境を悪化させ、住民の近隣トラブル等の原因になっている。特に、最近では、和室が少なくなり、洋室もカーペット床より、フローリング床の方が好まれる傾向にあり、上記騒音に関するトラブルが問題となっている。
【０００３】
従来のコンクリート駆体を備えた建築物にあっては、床スラブ上に大引き、根太等の床支持部材を介して床を支持する、あるいはその床スラブ上に複数の束を立て、その上に床支持部材を介して床を支持するなどの床支持構造が採用されているのが一般的であり、上記した擦過音、衝撃音等が上記床支持部材を介してコンクリート駆体部分に直接伝わり、このことが居住空間に大きな振動騒音を発生させる原因となっている。
【０００４】
そこで、従来、遮音対策として、床スラブの厚みを増したり、床構造体自体を遮音構造にする、あるいは、床支持部材と床との間に緩衝性のプラスチック材、ゴム材等を介装し、衝撃を吸収することにより遮音効果を図ること等の対策が提案されている。しかしながら、床を支持する床支持体と床スラブとが接触した状態にある限り上記した問題を解決することは困難である。
【０００５】
そこで、特開２００２−１８０５８５号公報には、コンクリート躯体構造をもつ建築物において、床スラブ上に設けられる床構造体の、コンクリート躯体との接触を回避して、階上の床上に加わる衝撃振動が、階下の居住空間に伝わることを可及的に低減し、遮音性能が向上した建築物における床支持構造が提案されている。
【０００６】
すなわち、上記特許文献には、居住空間を、床上空間と床下空間とにより仕切る床構造体の、大引ビームの両端部に、これと直交する方向に延長するビーム受をそれぞれ固定し、それらのビーム受の長手方向の任意の複数箇所に、コンクリート躯体に吊下した複数本の吊り棒の下端をそれぞれ結合して、床構造体をコンクリート躯体に対して浮動状に支持した建築物における床支持構造が開示されている。
【特許文献１】特開２００２−１８０５８５号公報
【発明の開示】
【発明が解決しようとする課題】
【０００７】
上記特許文献１に記載の床支持構造においては、上記床構造体は、コンクリート駆体に懸吊される複数本の索条、すなわち、ワイヤロープによりフローティング支持されている。しかしながら、上記ワイヤロープによる懸吊支持は必ずしも、安定したものとはいえず、床構造体が前後左右に微妙に揺れ、この床構造体の上に大引けや根太を介して敷設された床も微妙に揺れるため、住み心地も良好であるとはいえない。
【０００８】
本願発明は、上記背景技術に鑑みてなしたものであり、その目的は、床スラブを構成するとともに、天井スラブを構成する水平駆体部分を有する建築物において、上記床スラブに設けられる床構造体を、天井スラブから懸吊した垂下支持体によって横揺れを防いでしっかりと懸架することのできるコンクリート建築物における懸架式床支持構造を提供することである。
【課題を解決するための手段】
【０００９】
上記課題を解決するために、本願請求項１記載の発明に係る懸架式床支持構造は、水平方向に延びて建築物を複数の階層に区画する水平駆体部分と鉛直方向に延びて上下の該水平駆体部分を相互に連結する鉛直駆体部分とを備えてなるコンクリート建築物において、上記水平駆体部分は上階と下階の居住空間を仕切るとともに、各居住空間においては床スラブと天井スラブとを構成し、該居住空間の床面を構成する床構造体が該床スラブとの接触を回避して、天井スラブから垂下する複数の垂下支持体によって浮動状に支持されることを特徴としている。
【００１０】
本願請求項２記載の発明は、上記請求項１記載の懸架式床支持構造において、上記天井スラブに断面Ｈ型の鋼材を梁材として固定し、該梁材に係合部を介して垂下支持体としての帯状鋼材の上端部を固定、垂下するとともに、該帯状鋼材の下端部には上記床構造体を懸架する懸架部が付設されたことを特徴としている。
【００１１】
本願請求項３記載の発明は、上記請求項２記載の懸架式床支持構造において、上記帯状鋼材と左右の隣家と該居住空間とを区切る隔壁スラブとの間に緩衝材が介装されたことを特徴としている。緩衝材としては、特に限定されないが、発泡合成ゴム、ウレタンゴム等の防振ゴムを用いることが好ましい。
【００１２】
本願請求項４記載の発明は、上記請求項１記載の懸架式床支持構造において、上記垂下支持体を間仕切り壁の中空部に垂設してなることを特徴としている。
【発明の効果】
【００１３】
本願請求項１記載の発明に係る懸架式床支持構造においては、コンクリート建築物において、上階と下階の居住空間を仕切る水平駆体部分は、各居住空間においては床スラブと天井スラブとを形成し、該居住空間の床面を構成する床構造体が該床スラブと接触せずに、天井スラブから垂下する複数の垂下支持体によって浮動状に支持され、床スラブと床構造体とが非接触とされているため、上の居住空間の床面に加わる衝撃振動が、下の居住空間に伝わることなく、擦過音や衝撃音を可及的に低減させ、遮音性能の向上したコンクリート建築物を提供することができる。
【００１４】
また、床スラブには、床構造体の荷重が掛からないこと、および遮音機能を付与する必要のないことから、床スラブを薄くすることが可能となり、居住空間の有効高さを高くすることができ、さらに、コンクリート駆体のコンクリート量を減らしてコストダウンにも寄与することができる。
【００１５】
本願請求項２記載の発明に係る懸架式床支持構造においては、特に、上記天井スラブに梁材として固定された断面Ｈ型の鋼材に係合部を介して垂下支持体としての帯状鋼材の上端部を固定して垂下し、該帯状鋼材の下端部には上記床構造体を懸架する懸架部が付設されているため、帯状鋼材が索条いわゆるワイヤロ−プのように自由揺動することなく、横揺れを防いでしっかりと上記床構造体を懸架することができる。また、断面Ｈ型の鋼材の天井スラブ下面への固定位置を選ぶことにより、居住空間内を区画する間仕切り用として、上記懸架式床支持構造を応用することができる。
【００１６】
本願請求項３記載の発明に係る懸架式床支持構造においては、特に、上記帯状鋼材と左右の隣家と該居住空間とを区切る隔壁スラブとの間に緩衝材が介装されているため、例えば、地震等で横揺れが発生した場合でも横揺れを吸収して、床構造体が隔壁スラブに直接接触することを防ぎ、衝撃を和らげることができる。
【００１７】
本願請求項４記載の発明に係る懸架式床支持構造においては、特に、上記垂下支持体を間仕切り壁の中空部に設けることにより、間仕切り壁として、例えば化粧された石膏ボード等を用いることにより、外観性よく居住空間内を区画することができる。
【発明を実施するための最良の形態】
【００１８】
以下、本願発明の実施形態について、図面を参照して詳細に説明する。例えば、マンション等のコンクリート建築物においては、水平駆体部分が水平方向に延びて建築物を複数の階層に区画し、鉛直駆体部分が鉛直方向に延びて上記水平駆体部分を相互に連結している。また、下方の水平駆体部分は居住空間の床スラブを構成するとともに、上方の水平駆体部分は居住空間の天井スラブを構成し、上記鉛直駆体部分は左右の居住空間を区切るコンクリート駆体壁を構成する。
【００１９】
図１は、上記したコンクリート建築物に、本願発明に係る懸架式床支持構造を用い、居住空間Ａ内に間仕切り部を設ける実施形態の概略構成を示す縦断面図である。図１に示すように、居住空間Ａは、床スラブ１と天井スラブ２と４面のコンクリート駆体壁からなり、その中、２面のコンクリート駆体壁は左右の隣家と該居住空間Ａとを区切る隔壁スラブ１ａとされている。上記天井スラブ２の下面には断面Ｈ型の鋼材が梁材３として、居住空間Ａの間仕切り位置に、アンカーボルト等で固定されている。この梁材３から係合部４を介して垂下支持体５が垂設され、床構造体６は、床スラブ１と非接触となるように複数本の垂下支持体５の下端部に設けられた懸架部５２によって懸架されている。
【００２０】
図２は、図１におけるイ部の詳細を示す縦断面図である。図２に示すように、上記Ｈ型鋼の下片は係合片３１を構成し、一対の係合部４は、上記係合片３１に係合する係合溝を有するとともに、この係合溝が上記係合片３１に係合される。また、帯状鋼材が垂下支持体５として用いられ、この帯状鋼材の上端部５１は係合部４の脚部４１で挟持されるとともに、ビス８で固定されている。
【００２１】
図３は、上記梁材３の係合片３１に一対の係合部４を係合させるとともに、垂下支持体５としての帯状鋼材を垂下支持した状態を示す部分斜視図である。図３においては、１個の垂下支持体５のみを代表して図示しているが、本願発明に係る懸架式床支持構造においては、梁材３の両端から垂下する最低２個の垂下支持体５が必要とされ、梁材３の長さに応じて、また、居住空間Ａの構成に応じて適宜の間隔で垂設し、その数を増やすことができる。
【００２２】
図４は、図１において、ロで示す上記懸架部５２を含む要部を示す縦断面図である。図４に示されているように、帯状鋼材の下端部には、床構造体６を懸架する懸架部５２が付設されている。この懸架部５２は、フローリング材６１で覆われた床構造体６の両端面に凹設された懸架溝部６２に嵌挿され、かくして、床構造体６は垂下支持体５によって、床スラブ１と隙間Ｓを隔てて非接触状態で浮動状にフローティング支持される。
【００２３】
図５は、本願発明に係る懸架式床支持構造を用いて構成した居住空間Ａに内装を施した状態を示す縦断面図である。図５に示すように、上記梁材３や係合部４を目隠しするように天井部７１が設けられるとともに、居住空間Ａ内を間仕切る垂下支持体５は間仕切り壁７２で囲まれ、間仕切り部の中空部に垂設される。なお、図５において、符号７３は奥側の壁面を示す。
【００２４】
また、図５に示すように、左右の隣家と該居住空間Ａとを区切る隔壁スラブ１ａとの間に緩衝材９を介装してもよい。例えば、防振ゴムを１個または適宜間隔で介装することにより、例えば、地震等で横揺れが発生した場合、床構造体６が直接、隔壁スラブ１ａに接触することを防ぐ。
【００２５】
以上述べたように、本発明に係る懸架式床支持構造を用いることにより、上記居住空間Ａは、外見上は、床構造体６を床スラブ１と一体的に施工する従来の方法による場合と同様であるが、床スラブ１と床構造体６とは非接触であるため、居住空間の床面に加わる衝撃振動が、階下の居住空間に伝わることを防止することができる。そして、擦過音や衝撃音が可及的に低減され、遮音性能が向上したコンクリート建築物を提供することができる。
【００２６】
なお、上記実施形態においては、左右の隣家と該居住空間Ａとを区切る隔壁スラブ１ａとの間に緩衝材９を介装した場合について述べたが、床構造体６と床スラブ１との間に固体伝播音を発生しない程度に、緩衝材９を介装することも可能である。このように本願発明に係る懸架式床支持構造は、設計変更自在であり、特許請求の範囲を逸脱しない限り、本願発明の技術的範囲に属する。
【図面の簡単な説明】
【００２７】
【図１】本願発明に係る懸架式床支持構造を用い、居住空間に間仕切りを設ける実施形態の概略構成を示す縦断面図。
【図２】図１におけるイ部の詳細を示す縦断面図。
【図３】梁材の係合片に一対の係合部を係合させ、垂下支持体としての帯状鋼材を垂下支持した状態を示す部分斜視図。
【図４】図１において、ロで示す懸架部を含む要部を示す縦断面図。
【図５】本願発明に係る懸架式床支持構造を用いて構成した居住空間に内装を施した状態を示す縦断面図。
【符号の説明】
【００２８】
Ａ      居住空間
Ｓ      隙間
１      床スラブ
１ａ    隔壁スラブ
２      天井スラブ
３      梁材
３１    係合片
４      係合部
４１    脚部
５      垂下支持体
５１    上端部
５２    懸架部
６      床構造体
６１    フローリング材
６２    懸架溝部
７１    天井部
７２    間仕切り壁
７３    奥側の壁面
８      ビス
９      緩衝材
【図１】
2009174242.tif 000003
【図２】
2009174242.tif 000004
【図３】
2009174242.tif 000005
【図４】
2009174242.tif 000006
【図５】
2009174242.tif 000007